(57)【要約】【課題】配管を利用した他部材の支持固定を簡易かつ確実に行う。  【解決手段】一辺部５１１と、当該一辺部５１１に対し角度を成して連続する他辺部５１２とを備える基板５と、一辺部５１１に設けられてクーラ配管２の外周をその両側から挟持してこれに装着される挟持片６と、他辺部５１２に設けられて上記挟持片６で挟持された配管２外周回りの回転を防止すべく配管２の他の外周をその両側から挟持してこれに装着される挟持片６と、基板５に設けられてドレーンパイプ１を固定し支持する支持部５２とを備えている。一辺部５１１と他辺部５１２にはそれぞれ取付開口を設けて、挟持片６は各取付開口５３内に挿入されて係止固定される。  【選択図】        図１
2009144881.tif 000002
【特許請求の範囲】
【請求項１】
一辺部と、当該一辺部に対し角度を成して連続する他辺部とを備える基板と、前記一辺部に設けられて配管の外周をその両側から挟持してこれに装着される第１挟持片と、前記他辺部に設けられて前記第１挟持片で挟持された配管外周回りの回転を防止すべく前記配管の他の外周をその両側から挟持してこれに装着される第２挟持片と、前記基板に設けられて他部材を固定し支持する支持部とを備える支持金具。
【請求項２】
前記一辺部と前記他辺部にそれぞれ取付開口を設けて、前記第１挟持片および前記第２挟持片を各取付開口内に挿入して係止固定した請求項１に記載の支持金具。
【発明の詳細な説明】
【技術分野】
【０００１】
本発明は支持金具に関し、特に、配管を利用して他部材を支持固定するのに使用する支持金具に関する。
【背景技術】
【０００２】
図５には車両クーラのクーラ配管２を利用した、他部材たるドレーンパイプ１の従来の保持構造の一例を示す。図において、Ｌ字状に屈曲したドレーンパイプ１からは側方へ取付ステー１１が延出している。支持金具７はＬ字状に屈曲させたその連結部７１の一辺が、上記取付ステー１１とカシメによって結合されている。支持金具７には基部７２（図６）の両側に上方へ向けて挟持片７２１が屈曲形成してある。ドレーンパイプ１を支持させる場合には、上記挟持片７２１でクーラ配管２先端に装着されたジョイント４の平らな両側面４２，４３を両側から挟んでカシメにより仮止めし（図５）、その後、支持金具基部７２の取付孔７２２（図６）とジョイント４の取付孔４１にボルトを挿入してこれらをクーラ本体に共締め固定する。なお、特許文献１には、連結された一対の管体の相対回転を防止する管体接続構造が開示されている。
【特許文献１】特開平９−２６９０８８
【発明の開示】
【発明が解決しようとする課題】
【０００３】
しかし、上記従来の支持金具７では、図７に示すように、ジョイント４の両側面４４，４５が曲面になると支持金具７が旋回してドレーンパイプ１の確実な位置決めが困難になるという問題があるとともに、工具を使用したカシメ作業やボルトによる共締め作業を要するために手間がかかるという問題があった。
【０００４】
そこで、本発明はこのような課題を解決するもので、配管を利用した他部材の支持固定を簡易かつ確実に行うことができる支持金具を提供することを目的とする。
【課題を解決するための手段】
【０００５】
上記目的を達成するために、本第１発明では、一辺部（５１１）と、当該一辺部（５１１）に対し角度を成して連続する他辺部（５１２）とを備える基板（５）と、一辺部（５１１）に設けられて配管（２）の外周をその両側から挟持してこれに装着される第１挟持片（６）と、他辺部（５１２）に設けられて第１挟持片（６）で挟持された配管（２）外周回りの回転を防止すべく配管（２）の他の外周をその両側から挟持してこれに装着される第２挟持片（６）と、基板（５）に設けられて他部材（１）を固定し支持する支持部（５２）とを備えている。
【０００６】
本第１発明において、第１挟持片と第２挟持片をそれぞれ配管の外周および他の外周に挟持状態で装着すると、支持金具の配管外周回りの回転が規制されて、支持金具とこれに支持された他部材が旋回変位することなく確実に配管に支持される。支持固定の作業は、挟持片を配管外周に押し込み挟持させるだけで簡易に行うことができる。
【０００７】
本第２発明では、一辺部（５１１）と他辺部（５１２）にそれぞれ取付開口（５３）を設けて、第１挟持片（６）および第２挟持片（６）を各取付開口（５３）内に挿入して係止固定する。本第２発明においては、一辺部と他辺部に挟持片を簡易に設けることができる。
【０００８】
なお、上記カッコ内の符号は、後述する実施形態に記載の具体的手段との対応関係を示すものである。
【発明の効果】
【０００９】
以上のように、本発明の支持金具によれば、配管を利用した他部材の支持固定を簡易かつ確実に行うことができる。
【発明を実施するための最良の形態】
【００１０】
図１は、本発明の支持金具Ｈを使用して他部材たるドレーンパイプ１をクーラ配管２に支持固定した例を示す斜視図であり、図２はその平面図である。クーラ配管２は斜めから上方へ略Ｌ字形に屈曲して立ち上がり、その先端には、クーラ配管２をクーラ本体３（図２）に固定するための取付孔４１を設けたジョイント４が装着されている。そして、このように屈曲したクーラ配管２に、詳細を以下に説明する支持金具Ｈによってドレーンパイプ１が支持固定されている。
【００１１】
支持金具Ｈの詳細を図３に示す。支持金具Ｈは基板５を備えており、基板５は本体部５１と支持部５２で構成されている。本体部５１は上下方向で略Ｌ字形に屈曲させられて、一辺部５１１と当該一辺部５１１に対し角度を成して連続する他辺部５１２とを有している。一辺部５１１と他辺部５１２の板面にはそれぞれ取付開口５３（一方のみ示す）が形成されている。支持部５２は上記一辺部５１１の上端から略水平に延出しており、斜めに屈曲させたその先端板面には取付孔５２１が形成されている。そして、上記一辺部５１１と他辺部５１２の取付開口５３にはそれぞれ同形状の樹脂製挟持片６が装着される。
【００１２】
上記挟持片６は、一方へ開放する門型の本体部６１と、本体部６１の頂壁に突出形成された係止部６２を備えている。本体部６１は先端開放縁がフック状に成形された左右の側壁６１１を有し、これら側壁６１１の間に受入れ空間６１２が形成されている。係止部６２には両側面に、略三角状に突出する係止突起６２１が形成されており、これら係止突起６２１は一辺のみで係止部６２と連続していて、外圧によって係止部６２内へ後退変形可能である。したがって、基板５の各取付開口５３内に挟持片６の係止部６２を挿入すると、係止突起６２１は一旦後退した後、再び自身の弾性力で進出して、図３に示すように取付開口５３の開口縁に係止突起６２１が係合する。このようにして挟持片６２が基板５に簡易に装着される。
【００１３】
支持金具５の支持部５２に設けた取付孔５２１には図４に示すようにドレーンパイプ１の側面から突出させた取付ステー１１の突起１１１が挿入され、これら突起１１１がカシメられて、支持金具６にドレーンパイプ１が固定される。この状態で、クーラ配管２の、上下方向へ延びる配管部２１の外周に支持金具５の一辺部５１１に設けた挟持片６を側方から差し込むと、挟持片６の左右の側壁６１１を押し拡げて受入れ空間６１２内に配管部２１が相対進入し、左右の側壁６１１の弾性力で挟持される。これにより、支持金具５の一辺部５１１がクーラ配管２の配管部２１に装着される。この状態では、支持金具５は配管部２１の外周回りに回転可能である。
【００１４】
そこで、クーラ配管２の、傾斜する配管部２２の外周に支持金具５の他辺部５１２に設けた挟持片６を側方から差し込み、挟持片６の側壁６１１の弾性力で配管部２２を挟持させる。これにより、支持金具５の他辺部５１２がクーラ配管２の配管部２２に装着され（図１）、この結果、支持金具５の配管部２１外周回りの回転が規制されて、支持金具５すなわちドレーンパイプ１が旋回変位することなく確実にクーラ配管２に固定される。なお、クーラ配管２は、ジョイント４の取付孔４１によってクーラ本体３（図２）に固定される。
【００１５】
このようにして、本実施形態の支持金具５を使用すれば、ドレーンパイプ１のような他部材を、配管２を利用して確実に支持固定することができるとともに、支持固定の作業も、挟持片６を配管２外周に押し込み挟持させるだけの簡易なもので済む。
【図面の簡単な説明】
【００１６】
【図１】本発明の一実施形態を示す、支持金具を使用してドレーンパイプをクーラ配管に支持固定した斜視図である。
【図２】支持金具を使用してドレーンパイプをクーラ配管に支持固定した平面図である。
【図３】支持金具の分解斜視図である。
【図４】支持金具をクーラ配管に取り付ける際の斜視図である。
【図５】従来の支持金具を使用してドレーンパイプをクーラ配管に支持固定した斜視図である。
【図６】従来の支持金具をクーラ配管に取り付ける際の斜視図である。
【図７】クーラ配管に設けたジョイントの他の例を示す斜視図である。
【符号の説明】
【００１７】
１…ドレーンパイプ（他部材）、２…クーラ配管、４…ジョイント、５…基板、５１１…一辺部、５１２…他辺部、６…挟持片。
【図１】
2009144881.tif 000003
【図２】
2009144881.tif 000004
【図３】
2009144881.tif 000005
【図４】
2009144881.tif 000006
【図５】
2009144881.tif 000007
【図６】
2009144881.tif 000008
【図７】
2009144881.tif 000009